(57)【要約】【課題】  孔有り用紙所定の向きに収容されているか否かを判別すると共に、孔有り用紙か否かを判別する。【解決手段】  給紙トレイ６０の一端側に位置する孔７０を検知するセンサ６４及び、給紙トレイ６０の他端側に位置する孔７０を検知するセンサ７４を設ける。これにより、給紙トレイ６０に収容された孔有り用紙Ｐ１が正しい向きに収容されているかだけでなく、収容された用紙Ｐが孔有り用紙Ｐ１か孔無し用紙Ｐ２かを判別できる。【選択図】  図２
2007055802.tif 000002
【特許請求の範囲】
【請求項１】
搬送されて画像が形成される記録媒体を収容する記録媒体収容機構において、
孔が側端部に形成された孔有り記録媒体及び孔のない孔無し記録媒体を収容可能であると共に、前記孔が一端側に位置する向き及び前記孔が他端側に位置する向きに前記孔有り記録媒体を収容可能な記録媒体収容部と、
前記記録媒体収容部の一端側及び前記記録媒体収容部の他端側に位置する前記孔を検知する孔検知手段と、
前記孔検知手段の検知結果に基づき、前記記録媒体収容部に収容された孔有り記録媒体の向きを判断すると共に、前記記録媒体収容部に収容された記録媒体が、孔有り記録媒体であるか孔無し記録媒体であるかを判断する判断手段と、
を備えたことを特徴とする記録媒体収容機構。
【請求項２】
前記孔検知手段は、前記記録媒体収容部の一端側及び前記記録媒体収容部の他端側に配置された二つのセンサで構成されていることを特徴とする請求項１に記載の記録媒体収容機構。
【請求項３】
前記孔検知手段は、前記記録媒体収容部の一端側から前記記録媒体収容部の他端側へ渡る長さとされたラインセンサであることを特徴とする請求項１に記載の記録媒体収容機構。
【請求項４】
前記孔検知手段は、前記記録媒体収容部の一端側と前記記録媒体収容部の他端側との間を移動可能な移動センサであることを特徴とする請求項１に記載の記録媒体収容機構。
【請求項５】
搬送されて画像が形成される記録媒体を収容する記録媒体収容機構において、
切欠部が角部に形成された欠有り記録媒体及び切欠部のない欠無し記録媒体を収容可能であると共に、前記切欠部が四隅のいずれかに位置する四つの向きに前記欠有り記録媒体を収容可能な記録媒体収容部と、
前記記録媒体収容部の四隅のそれぞれに位置する前記切欠部を検知する切欠部検知手段と、
前記切欠部検知手段の検知結果に基づき、前記記録媒体収容部に収容された欠有り記録媒体の向きを判断すると共に、前記記録媒体収容部に収容された記録媒体が、欠有り記録媒体であるか欠無し記録媒体であるかを判断する判断手段と、
を備えたことを特徴とする記録媒体収容機構。
【請求項６】
前記切欠部検知手段は、前記記録媒体収容部の四隅のそれぞれに配置された４つのセンサで構成されていることを特徴とする請求項５に記載の記録媒体収容機構。
【請求項７】
請求項１〜６のいずれか1項に記載の記録媒体収容機構を備えたことを特徴とする画像形成装置。
【発明の詳細な説明】
【技術分野】
【０００１】
本発明は、搬送されて画像が形成される記録媒体を収容する記録媒体収容機構及びその記録媒体収容機構を備えた画像形成装置に関する。
【背景技術】
【０００２】
搬送されて画像が形成される記録媒体を収容する記録媒体収容機構を備えた画像形成装置としては、給紙部に収容されるはがきの給紙される給紙向きを検知する画像形成装置が公知である（例えば、特許文献１）。
【０００３】
ところで、搬送されて画像が形成される記録媒体としては、一部が欠けた記録媒体、例えば、ファイリングするために、側端部に孔が形成された用紙や、角部が切り欠けられた用紙（見開きはがき等）がある。このような用紙では、所定の向き、所定の位置に画像が形成される必要があり、所定の向きで給紙される必要がある。このため、オペレータは、用紙トレイに所定の向きで用紙を収容しなければならない。
【特許文献１】特開２００３−２９５５４３号公報
【発明の開示】
【発明が解決しようとする課題】
【０００４】
しかしながら、オペレータは、用紙を収容する向きを間違えやすい。また、用紙自体の種類を間違えることもある。
【０００５】
本発明は、上記事実を考慮し、一部が欠けた記録媒体が所定の向きに収容されているか否かの判別及び、一部が欠けた記録媒体か否かの判別ができる記録媒体収容機構及びその記録媒体収容機構を備えた画像形成装置を提供することを目的とする。
【課題を解決するための手段】
【０００６】
本発明の請求項１に係る記録媒体収容機構は、搬送されて画像が形成される記録媒体を収容する記録媒体収容機構において、孔が側端部に形成された孔有り記録媒体及び孔のない孔無し記録媒体を収容可能であると共に、前記孔が一端側に位置する向き及び前記孔が他端側に位置する向きに前記孔有り記録媒体を収容可能な記録媒体収容部と、前記記録媒体収容部の一端側及び前記記録媒体収容部の他端側に位置する前記孔を検知する孔検知手段と、前記孔検知手段の検知結果に基づき、前記記録媒体収容部に収容された孔有り記録媒体の向きを判断すると共に、前記記録媒体収容部に収容された記録媒体が、孔有り記録媒体であるか孔無し記録媒体であるかを判断する判断手段と、を備えたことを特徴とする。
【０００７】
この構成によれば、記録媒体収容部に記録媒体が収容されると、孔検知手段が、記録媒体収容部の一端側及び記録媒体収容部の他端側に位置する孔を検知する。
【０００８】
この孔検知手段の検知結果に基づき、判断手段が、記録媒体収容部に収容された孔有り記録媒体の向きを判断すると共に、記録媒体収容部に収容された記録媒体が、孔有り記録媒体であるか孔無し記録媒体であるかを判断する。
【０００９】
このように請求項１の構成では、記録媒体収容部の一端側及び記録媒体収容部の他端側に位置する孔を検知する孔検知手段を設けることで、記録媒体収容部に収容された記録媒体が正しい向きに収容されているかだけでなく、収容された記録媒体が孔有り記録媒体か孔無し記録媒体かを判断できる。
【００１０】
このため、一部が欠けた記録媒体としての孔有り記録媒体が所定の向きで収容されているか否かの判別及び、孔有り記録媒体か否かの判別が可能となる。
【００１１】
本発明の請求項１に係る孔検知手段は、本発明の請求項２に記載されたように、記録媒体収容部の一端側及び記録媒体収容部の他端側に配置された二つのセンサで構成してもよい。
【００１２】
また、本発明の請求項１に係る孔検知手段は、本発明の請求項３に記載されたように、記録媒体収容部の一端側から記録媒体収容部の他端側へ渡る長さとされたラインセンサで構成してもよい。
【００１３】
また、本発明の請求項１に係る孔検知手段は、本発明の請求項４に記載されたように、記録媒体収容部の一端側と記録媒体収容部の他端側との間を移動可能な移動センサで構成してもよい。
【００１４】
本発明の請求項５に係る記録媒体収容機構は、搬送されて画像が形成される記録媒体を収容する記録媒体収容機構において、切欠部が角部に形成された欠有り記録媒体及び切欠部のない欠無し記録媒体を収容可能であると共に、前記切欠部が四隅のいずれかに位置する四つの向きに前記欠有り記録媒体を収容可能な記録媒体収容部と、前記記録媒体収容部の四隅のそれぞれに位置する前記切欠部を検知する切欠部検知手段と、前記切欠部検知手段の検知結果に基づき、前記記録媒体収容部に収容された欠有り記録媒体の向きを判断すると共に、前記記録媒体収容部に収容された記録媒体が、欠有り記録媒体であるか欠無し記録媒体であるかを判断する判断手段と、を備えたことを特徴とする。
【００１５】
この構成によれば、記録媒体収容部に記録媒体が収容されると、切欠部検知手段が、記録媒体収容部の四隅のそれぞれに位置する切欠部を検知する。
【００１６】
この切欠部検知手段の検知結果に基づき、判断手段が、記録媒体収容部に収容された欠有り記録媒体の向きを判断すると共に、記録媒体収容部に収容された記録媒体が、欠有り記録媒体であるか欠無し記録媒体であるかを判断する。
【００１７】
このように請求項５の構成では、記録媒体収容部の四隅のそれぞれに位置する切欠部を検知する切欠部検知手段を設けることで、記録媒体収容部に収容された記録媒体が正しい向きに収容されているかだけでなく、収容された記録媒体が欠有り記録媒体か欠無し記録媒体かを判断できる。
【００１８】
また、本発明の請求項５に係る切欠部検知手段は、本発明の請求項６に記載されたように、記録媒体収容部の四隅のそれぞれに配置された４つのセンサで構成してもよい。
【００１９】
本発明の請求項７に係る画像形成装置は、請求項１〜６のいずれか１項に記載の記録媒体収容機構を備えたことを特徴とする。
【発明の効果】
【００２０】
本発明は、上記構成としたので、一部が欠けた記録媒体が所定の向きに収容されているか否かの判別及び、一部が欠けた記録媒体か否かの判別ができる。
【発明を実施するための最良の形態】
【００２１】
以下に、本発明の記録媒体収容機構及びその記録媒体収容機構を備えた画像形成装置に係る実施形態の一例を図面に基づき説明する。
〔第１実施形態〕
まず、本発明の記録媒体収容機構を備えた画像形成装置の全体構成について説明する。図１には、本実施形態に係る画像形成装置の全体概略が示されている。
【００２２】
図１に示すように、画像形成装置１０は、第１ユニット１１、第２ユニット１２、第３ユニット１３、第４ユニット１４から構成されている。第１ユニット１１及び第２ユニット１２は、それぞれ、用紙（記録媒体）Ｐを収容する用紙収容機構（記録媒体収容機構）１６が配置されている。
【００２３】
用紙収容機構１６に収容された用紙Ｐは、ピックアップローラ１８によって、搬送路２０へ送り出される。搬送路２０へ送り出された用紙Ｐは、複数の搬送ローラ２２で、用紙Ｐへ画像を形成する画像形成部２４へ挟持搬送される。
【００２４】
第４ユニット１４には、用紙Ｐを積載収容する２つの給紙トレイ２６が設けられている。給紙トレイ２６内の用紙Ｐは、ピックアップローラ２８によって、搬送路２０へ送り出される。搬送路２０へ送り出された用紙Ｐは、複数の搬送ローラ２２及び搬送ベルト３２で、画像形成部２４へ搬送される。
【００２５】
画像形成部２４は、複数のローラ３５で張架され、一方向（図１において反時計方向）へ回転する感光体ベルト３４を備えている。感光体ベルト３４の下側には、イエロー、マゼンタ、シアン、ブラックの各色に対応したプリントエンジン３６Ｙ、３６Ｍ、３６Ｃ、３６Ｋが設けられている。
【００２６】
各プリントエンジン３６Ｙ、３６Ｍ、３６Ｃ、３６Ｋは、感光体ベルト３４の回転方向に沿って、順に配設された帯電器３７、露光ヘッド３８、現像器３９を備えている。
【００２７】
感光体ベルト３４は、その表面が帯電器３７によって略均一に帯電される。感光体ベルト３４の帯電面は、露光ヘッド３８によって露光され、感光体ベルト３４の表面に画像データに基づく静電潜像が形成される。次いで、この静電潜像が現像器３９によって現像され、感光体ベルト３４の表面にトナー画像が形成される。
【００２８】
画像形成部２４へ搬送された用紙Ｐは、感光体ベルト３４と転写コロトロン４０との間に導入され、転写コロトロン４０が、用紙Ｐの裏面に向けて放電して、トナー電荷と逆極性の電荷を与えて、感光体ベルト３４上のトナー画像を用紙Ｐへ転写する。なお、転写後、感光体ベルト３４に残留したトナーは、クリーニング機構４２で除去される。
【００２９】
トナー画像が転写された用紙Ｐは、さらに、下流側にある一対定着ローラ４４へ搬送され、この定着ローラ４４に挟持され、用紙Ｐへトナー画像が圧着される。
【００３０】
トナー画像が圧着された用紙Ｐは、さらに下流側へ複数の搬送ローラ２２で搬送され、排出ロール４６によって、第１ユニット１１及び第２ユニット１２にそれぞれ設けられたスタッカ４８へ排出される。
【００３１】
用紙Ｐの両面へ画像を形成する場合は、定着ローラ４４とスタッカ４８との間に設けられた反転部５０で、片面に画像が形成された用紙Ｐの裏表が反転されて、搬送ベルト３２に送り込まれる。搬送ベルト３２に送り込まれた用紙Ｐは、搬送ベルト３２及び複数の搬送ローラ２２で、再び画像形成部２４へ搬送されて、裏面に画像が形成される。
【００３２】
なお、第３ユニット１３には、用紙Ｐを反転させるための反転機構５２が設けられている。この反転機構５２は、両面に画像が形成された用紙Ｐの表面を上側にして、スタッカ４８に積載したい場合など、用紙Ｐの裏表の向きを調整したい場合に用いられる。
【００３３】
また、第４ユニット１４に上部には、用紙Ｐの一枚又は数枚、試し刷りをした際に、排出される排出トレイ５４が設けられている。
【００３４】
また、第１ユニット１１に上部には、パージトレイ５６が配設されており、搬送中に何らかの不具合が発生し、適切な画像形成処理を施すことができず、不要となった用紙Ｐが排出される。
【００３５】
ここで、搬送されて画像が形成される用紙Ｐを収容する用紙収容機構について説明する。
【００３６】
用紙収容機構１６は、図２（Ａ）、（Ｂ）に示すように、用紙Ｐを積載収容する給紙トレイ（記録媒体収容部）６０を備えている。
【００３７】
この給紙トレイ６０には、側端部に孔７０が形成された孔有り用紙Ｐ１（図３（Ａ）参照）及び、孔７０のない孔無し用紙Ｐ２（図３（Ｂ）参照）のどちらも積載収容可能とされている。
【００３８】
孔有り用紙Ｐ１は、孔７０がＪＩＳ規格に準拠した所定の位置（左右対称の位置）に形成され、この孔７０が給紙トレイ６０の一端側（図４において左端側）に位置する向き（図４（Ａ）参照）、孔７０が給紙トレイ６０の他端側（図４において右端側）に位置する向き（図４（Ｂ）参照）積載収容可能とされている。
【００３９】
給紙トレイ６０の底板６２の一端側（図２において左端側）には、孔有り用紙Ｐ１の孔７０を検知するセンサ（孔検知手段）６４が配置されている。このセンサ６４により給紙トレイ６０の一端側に位置する孔７０を検知できる。
給紙トレイ６０の底板６２の他端側（図２において右端側）にも、孔有り用紙Ｐ１の孔７０を検知するセンサ（孔検知手段）７４が配置されている。このセンサ７４により給紙トレイ６０の他端側に位置する孔７０を検知できる。
【００４０】
このセンサ６４及びセンサ７４は、底板６２の底面側に取付けられたケース６８に収納され、センサ６４及びセンサ７４の上方には、底板６２に、開口部６２Ａが形成されている。また、センサ６４及びセンサ７４は、発光部と受光部とを有する反射型センサであり、発光部から上方へ光線（例えば、赤外線）を発し、その光線が、開口部６２Ａを通って、収容されている用紙Ｐへ照射される。
【００４１】
孔７０が形成されている位置に光線が照射されると、光線は、孔７０を通過する。一方、孔７０のない位置に光線が照射されると、光線が反射し、受光部６４Ｂへ入射する光量が多くなる。この光量差により、孔７０を検知するように構成されている。
【００４２】
センサ６４及びセンサ７４には、制御部６６（判断手段）が接続され、孔７０があるか否か示す有無信号が、センサ６４及びセンサ７４から制御部６６へ入力されるように構成されている。
【００４３】
制御部６６は、センサ６４及びセンサ７４から入力された有無信号に基づき、給紙トレイ６０に収容された孔有り用紙Ｐ１の向きを判断すると共に、給紙トレイ６０に収容された用紙Ｐが孔有り用紙Ｐ１であるか、孔無し用紙Ｐ２であるかを判断するように構成されている。具体的には、次のように、判断するように構成されている。
【００４４】
センサ６４が孔７０を検知し、センサ７４が孔７０を検知しない場合は、孔７０が給紙トレイ６０の一端側（図４において左端側）に位置する向き（図４（Ａ）参照）に孔有り用紙Ｐ１が収容されたと判断する。また、センサ６４が孔７０を検知せず、センサ７４が孔７０を検知した場合は、孔７０が給紙トレイ６０の他端側（図４において右端側）に位置する向き（図４（Ｂ）参照）に孔有り用紙Ｐ１が収容されたと判断する。さらに、センサ６４が孔７０を検知せず、センサ７４も孔７０を検知しない場合は、給紙トレイ６０に孔無し用紙Ｐ２が収容されたと判断する。
【００４５】
制御部６６には、オペレータに向けて警告表示する表示部７６が接続されており、上記の判断に基づき、孔有り用紙Ｐ１が所定の向きに収容されていないことや、孔無し用紙Ｐ２が収容されていることを表示部７６に表示して、オペレータに知らせる。
【００４６】
次に、第１実施形態についての作用を説明する。
【００４７】
第１実施形態では、給紙トレイ６０に用紙Ｐが収容されると、孔７０を検知するセンサ６４及びセンサ７４により、給紙トレイ６０の一端側及び他端側の位置に孔７０があるか否かが検出される。
【００４８】
センサ６４及びセンサ７４の検知結果に基づく、有無信号がセンサ６４及びセンサ７４から制御部６６に入力される。
【００４９】
制御部６６は、入力された有無信号から、給紙トレイ６０に収容された孔有り用紙Ｐ１の向きを判断すると共に、給紙トレイ６０に収容された用紙Ｐが孔有り用紙Ｐ１であるか、孔無し用紙Ｐ２であるかを判断する。
【００５０】
その判断結果を、表示部に表示して、オペレータに知らせる。これにより、オペレータは、給紙トレイ６０に収容された用紙Ｐが孔有り用紙Ｐ１であるか、孔無し用紙Ｐ２であるかを認識でき、また、給紙トレイ６０に収容された孔有り用紙Ｐ１である場合、その向きも認識でき、収容された用紙Ｐが正しいか否かがわかる。
【００５１】
このように第１実施形態では、給紙トレイ６０の一端側に位置する孔７０を検知するセンサ６４及び、給紙トレイ６０の他端側に位置する孔７０を検知するセンサ７４を設けることで、給紙トレイ６０に収容された孔有り用紙Ｐ１が正しい向きに収容されているかだけでなく、収容された用紙Ｐが孔有り用紙Ｐ１か孔無し用紙Ｐ２かを判別できる。
【００５２】
なお、上記の第１実施形態では、孔を検知する孔検知手段として、給紙トレイ６０の一端側（図２において左端側）及び給紙トレイ６０の他端側（図２において右端側）に配置された反射型の二つのセンサを用いたが、本発明の検知手段としては、図５に示すように、発光体７８が給紙トレイ６０に収容された用紙Ｐの上方に配置されると共に、受光体８０が発光体に対向して、給紙トレイ６０の底板６２に取付けられたケース６８に収納された透過型センサであってもよい。
【００５３】
また、本発明の検知手段としては、図６（Ａ）、（Ｂ）に示すように、給紙トレイ６０の一端側から給紙トレイ６０の他端側に渡る長さとされたラインセンサ８２であってもよい。
【００５４】
図６（Ａ）、（Ｂ）に示すラインセンサ８２は、少なくとも用紙Ｐの一端側及び他端側に光線を照射する発光部と、多数の受光素子を備え有効受光範囲が給紙トレイ６０の一端側から給紙トレイ６０の他端側に渡る長さとされた受光部と、から構成されている。
【００５５】
また、本発明の検知手段としては、図７（Ａ）、（Ｂ）に示すように、給紙トレイ６０の一端側と給紙トレイ６０の他端側との間を移動可能とされた移動センサ８４であってもよい。
【００５６】
図７（Ａ）、（Ｂ）に示す移動センサ８４は、モータ８６の駆動力で自らの軸周りに回転するボールねじ８８に螺合している。このボールねじ８８は、給紙トレイ６０の両端側に配置された固定部材９０に固定されている。この構成によれば、移動センサ８４は、ボールねじ７２が回転することにより、給紙トレイ６０の一端側（図７において左端側）と給紙トレイ６０の他端側（図７において右端側）に移動する。これにより、給紙トレイ６０の一端側で孔有り用紙Ｐ１の孔７０を検知すると共に、給紙トレイ６０の他端側（図７において二点鎖線の位置）で孔有り用紙Ｐ１の孔７０を検知する。
【００５７】
また、本発明の検知手段としては、図８（Ａ）、（Ｂ）に示すように、給紙トレイ６０の送り出し方向Ａの下流側の端部に、一つのセンサ９２を設け、送り出し前に、用紙Ｐの一方の側端部に孔７０があるか否かを検出すると共に、用紙Ｐが送り出されている最中に（図９（Ａ）、（Ｂ）参照）、用紙Ｐの一方の側端部に孔７０があるか否かを検出するように構成してもよい。
【００５８】
〔第２実施形態〕
次に、本発明の第２実施形態について説明する。なお、第１実施形態と同一の部分には同一の符号を付し、説明を省略する。また、画像形成装置の全体構成は、第１実施形態と同一であるので、説明を省略する。
【００５９】
第２実施形態に係る用紙収容機構１７では、給紙トレイ６０に、切欠部９４が角部に形成された欠有り用紙Ｐ３及び、切欠部９４のない欠無し用紙のどちらも積載収容可能とされている。
【００６０】
切欠部９４が角部に形成された欠有り用紙Ｐ３は、切欠部９４が給紙トレイ６０の四隅のいずれかに位置する四つの向きに収容可能とされている。
【００６１】
給紙トレイ６０の底板６２の一端側（図１０において左端側）であって、手前側には、欠有り用紙Ｐ３の切欠部９４を検知するセンサ（切欠部検知手段）９１が配置されている。給紙トレイ６０の底板６２の一端側（図１０において左端側）であって、奥側には、欠有り用紙Ｐ３の切欠部９４を検知するセンサ（切欠部検知手段）９３が配置されている。
【００６２】
給紙トレイ６０の底板６２の他端側（図１０において右端側）であって、手前側には、欠有り用紙Ｐ３の切欠部９４を検知するセンサ（切欠部検知手段）９５が配置されている。給紙トレイ６０の底板６２の他端側（図１０において右端側）であって、奥側には、欠有り用紙Ｐ３の切欠部９４を検知するセンサ（切欠部検知手段）９７が配置されている。
【００６３】
この４つのセンサ９１、９３、９５、９７により、給紙トレイ６０の四隅のそれぞれに位置する切欠部９４を検知できる。この４つのセンサ９１、９３、９５、９７も、第１実施形態におけるセンサ６４、７４と同様に反射型のセンサであり、切欠部がある場合とない場合の光量差によって、切欠部を検知するように構成されている。
【００６４】
センサ９１、９３、９５、９７には、制御部６６（判断手段）が接続され、切欠部９４があるか否か示す有無信号が、センサ９１、９３、９５、９７から制御部６６へ入力されるように構成されている。
【００６５】
制御部６６は、センサ９１、９３、９５、９７から入力された有無信号に基づき、給紙トレイ６０に収容された欠有り用紙Ｐ３の向きを判断すると共に、給紙トレイ６０に収容された用紙Ｐが欠有り用紙Ｐ３であるか、欠無し用紙であるかを判断するように構成されている。具体的には、次のように、判断するように構成されている。
【００６６】
センサ９１のみが切欠部９４を検知した場合は、切欠部９４が給紙トレイ６０の一端側（図１０において左端側）であって、手前側に位置する向き（図１０（Ａ）参照）に欠有り用紙Ｐ３が収容されたと判断する。また、センサ９３のみが切欠部９４を検知した場合は、切欠部９４が給紙トレイ６０の一端側（図１０において左端側）であって、奥側に位置する向きに欠有り用紙Ｐ３が収容されたと判断する。
【００６７】
センサ９５のみが切欠部９４を検知した場合は、切欠部９４が給紙トレイ６０の他端側（図１０において右端側）であって、手前側に位置する向きに欠有り用紙Ｐ３が収容されたと判断する。また、センサ９７のみが切欠部９４を検知した場合は、切欠部９４が給紙トレイ６０の他端側（図１０において右端側）であって、奥側に位置する向きに欠有り用紙Ｐ３が収容されたと判断する。
【００６８】
さらに、センサ９１、９３、９５、９７のいずれもが、切欠部９４を検知しない場合は、給紙トレイ６０に欠無し用紙が収容されたと判断する。
【００６９】
制御部６６には、オペレータに向けて警告表示する表示部７６が接続されており、上記の判断に基づき、欠有り用紙Ｐ３が所定の向きに収容されていないことや、欠無し用紙が収容されていることを表示部７６に表示して、オペレータに知らせる。
【００７０】
次に、第２実施形態についての作用を説明する。
【００７１】
第２実施形態では、給紙トレイ６０に用紙Ｐが収容されると、切欠部９４を検知するセンサ９１、９３、９５、９７により、給紙トレイ６０の四隅のそれぞれに位置に、切欠部９４があるか否かが検出される。
【００７２】
センサ９１、９３、９５、９７の検知結果に基づく、有無信号がセンサ６４及びセンサ７４から制御部６６に入力される。
【００７３】
制御部６６は、入力された有無信号から、給紙トレイ６０に収容された欠有り用紙Ｐ３の向きを判断すると共に、給紙トレイ６０に収容された用紙Ｐが欠有り用紙Ｐ３であるか、欠無し用紙であるかを判断する。
【００７４】
その判断結果を、表示部に表示して、オペレータに知らせる。これにより、オペレータは、給紙トレイ６０に収容された用紙Ｐが欠有り用紙Ｐ３であるか、欠無し用紙であるかを認識でき、また、給紙トレイ６０に収容された欠有り用紙Ｐ３である場合、その向きも認識でき、収容された用紙Ｐが正しいか否かがわかる。
【００７５】
このように第２実施形態では、給紙トレイ６０の四隅のそれぞれに位置する切欠部９４を検知するセンサ９１、９３、９５、９７を設けることで、給紙トレイ６０に収容された欠有り用紙Ｐ３が正しい向きに収容されているかだけでなく、収容された用紙Ｐが欠有り用紙Ｐ３か欠無し用紙かを判別できる。
【００７６】
なお、上記の第２実施形態では、切欠部を検知する孔検知手段として、給紙トレイ６０の四隅のそれぞれに配置された反射型の４つのセンサを用いたが、本発明の検知手段としては、発光体が給紙トレイ６０に収容された用紙Ｐの上方に配置されると共に、受光体が発光体に対向して、給紙トレイ６０の底板６２に取付けられたケース６８に収納された透過型センサであってもよい（図５参照）。
【００７７】
また、本発明の検知手段としては、給紙トレイ６０の一端側から給紙トレイ６０の他端側に渡る長さとされたラインセンサを、給紙トレイ６０の手前側と奥側とに２つ設ける構成であってもよい（図６参照）。
【００７８】
また、本発明の検知手段としては、給紙トレイ６０の一端側と給紙トレイ６０の他端側との間を移動可能とされた移動センサを、給紙トレイ６０の手前側と奥側とに２つ設ける構成であってもよい（図７参照）。
【００７９】
また、本発明の検知手段としては、図１１（Ａ）、（Ｂ）に示すように、給紙トレイ６０の送り出し方向Ａの下流側の端部であって、手前側及び奥側に、２つのセンサ９８を設け、送り出し前に、用紙Ｐの一端部の手前側及び奥側に、切欠部９４があるか否かを検出すると共に、用紙Ｐが送り出されている最中に（図１２（Ａ）、（Ｂ）参照）、用紙Ｐの他端部の手前側及び奥側に、切欠部９４があるか否かを検出するように構成してもよい。本発明は、上記の実施の形態に限るものではなく、種々の形態が可能である。
【図面の簡単な説明】
【００８０】
【図１】図１は、本発明の実施形態に係る画像形成装置の全体構成を示す図である。
【図２】図２（Ａ）は、第１本実施形態に係る用紙収容機構を示す上面図である。図２（Ｂ）は、第１本実施形態に係る用紙収容機構を示す側面図である。
【図３】図３（Ａ）は、第１本実施形態に係る用紙収容機構に収容される孔有り用紙を示す図である。図３（Ｂ）は、第１本実施形態に係る用紙収容機構に収容される孔無し用紙を示す図である。
【図４】図４は（Ａ）、第１本実施形態に係る用紙収容機構に、孔が一端側に位置する向きで収容された孔有り用紙を示す図である。図４は（Ｂ）、第１本実施形態に係る用紙収容機構に、孔が他端側に位置する向きで収容された孔有り用紙を示す図である。
【図５】図５は、第１本実施形態に係る用紙収容機構に用いられるセンサの変形例としての透過型のセンサを示す図である。
【図６】図６は、第１本実施形態に係る用紙収容機構に用いられるセンサの変形例としてのラインセンサを示す図である。
【図７】図７は、第１本実施形態に係る用紙収容機構に用いられるセンサの変形例としての移動センサを示す図である。
【図８】図８は、第１本実施形態に係る用紙収容機構に用いられるセンサの変形例として、用紙が搬送される際に、孔を検知するセンサを示す図である。
【図９】図９は、図８に示すセンサが、用紙の搬送中に孔を検知している様子を示す図である。
【図１０】図１０（Ａ）は、第２本実施形態に係る用紙収容機構を示す上面図である。図１０（Ｂ）は、第２本実施形態に係る用紙収容機構を示す側面図である。
【図１１】図１１は、第２本実施形態に係る用紙収容機構に用いられるセンサの変形例として、用紙が搬送される際に、切欠部を検知するセンサを示す図である。
【図１２】図１２は、図１１に示すセンサが、用紙の搬送中に孔を検知している様子を示す図である。
【符号の説明】
【００８１】
１０  画像形成装置
１６  用紙収容機構（記録媒体収容機構）
１７  用紙収容機構（記録媒体収容機構）
２６  給紙トレイ（記録媒体収容部）
６４  センサ（孔検知手段）
６６  制御部（判断手段）
７０  孔
７４  センサ（孔検知手段）
８２  ラインセンサ
８４  移動センサ
９１  センサ
９３  センサ
９４  切欠部
９５  センサ
９７  センサ
Ｐ  用紙（記録媒体）
Ｐ１  用紙（孔有り記録媒体）
Ｐ２  用紙（孔無し記録媒体）
Ｐ３  用紙（欠有り記録媒体）
【図１】
2007055802.tif 000003
【図２】
2007055802.tif 000004
【図３】
2007055802.tif 000005
【図４】
2007055802.tif 000006
【図５】
2007055802.tif 000007
【図６】
2007055802.tif 000008
【図７】
2007055802.tif 000009
【図８】
2007055802.tif 000010
【図９】
2007055802.tif 000011
【図１０】
2007055802.tif 000012
【図１１】
2007055802.tif 000013
【図１２】
2007055802.tif 000014